(57)【要約】      （修正有）【課題】略奪した後すぐに使用できず，また売却も困難であることを略奪者に知らしめることで，結果的に略奪を抑止し，建築現場の構造物や他の物品への損害も発生させない。【解決手段】空圧工具本体に接続された雄プラグへ接続した時に、施錠することで当該雄プラグを空圧工具本体から外すことを困難にし、たとえ盗んだとしてもすぐに使用できず売却も困難であることを略奪者へ認識させることで、空圧工具の盗難を抑制させる効果を有する空圧工具本体直接接続方の盗難抑止錠。【選択図】なし【特許請求の範囲】
【請求項１】
空圧工具本体に接続された雄プラグへ接続した時に，空圧工具本体と雄プラグの着脱に利用する雄プラグの六角山部を覆い隠すことができ，かつ，その後施錠することで当該雄プラグを空圧工具本体から外すことを困難にし，たとえ盗んだとしてもすぐに使用できず売却も困難であることを略奪者へ認識させることで，結果的に建築現場や作業場における空圧工具の盗難を抑止させる効果を有する空圧工具本体直接接続型の盗難抑止錠。
【発明の詳細な説明】
【発明の詳細な説明】
【技術分野】この発明は，住宅建築の内外装工事で数多く使用される空圧工具，特に釘打機の盗難事故対策方案として利用することができる。
【背景技術】
【００１】従来住宅建築の内外装工事で使用される代表的な空圧工具である釘打機は，その利便性の高さから普及率は非常に高くなってきた。【００２】また，個人が利用する釘打機の種類は内装用から躯体用まで複数台に渡るため，場合によっては作業後に釘打機を建築現場へ置いたまま帰宅することがある。【００３】一方で，釘打機が利用される現場は集合住宅や戸建住宅分譲地などが多いため，複数の釘打機利用者が混在し，かつ昼休みや夜間は作業者も管理者も非常に少なくなるため防犯上の問題がある。【００４】その場合，釘打機のボディ部とノーズ部と打ち込み金具を入れるマガジン部とで形成された空洞部へワイヤ錠を通し建築現場内の構造部や鋼製部位へ結合して施錠する場合や，略奪者が機械を持ち上げたときの傾斜変化を読み取り警報を鳴らすタイプのアラーム錠を設置することが代表的な従来の方法である。【００５】しかしワイヤ錠は可搬型の蓄電池駆動油圧切断工具を用いれば用意に切断が可能であるし，略奪者の手段にとってワイヤが太すぎる場合は建築現場内の構造物そのものを破壊するなどの損害が発生することがある。【００６】さらにボディ部とノーズ部と打ち込み金具を入れるマガジン部とで形成された空洞へワイヤ錠を通しても，略奪者が釘打機の構造を理解していれば一般的な手工具を利用することで容易に分解と再組み立てができるため鍵としての役目をなさない。【００７】アラーム錠は仮にアラームを発しても周囲に人がいない場合その効果を発揮できないことと，外殻部が容易に破壊されやすいという問題があった。
【発明が解決しようとする課題】
【００８】課題は三つある。
【００９】一つ目の課題は，略奪した後すぐに使用できず，また売却も困難であることを略奪者に知らしめることで，結果的に略奪を抑止し，建築現場の構造物や他の物品への損害も発生させないこと。
【０１０】二つ目の課題は，安価な価格で提供すること。
【０１１】三つ目の課題は，特に日本国内において普及が高まっている高圧釘打機に対しても一般釘打機と兼用できる形状で提供することである。
【課題を解決するための手段】
【０１２】一つ目の課題に対しては，当該盗難抑止錠は空圧工具のみに接続させることとし他のものと連結させないようにすることで，略奪者が略奪を達成させるために空圧工具本体または建築現場の構造物や他の物品を傷付けることの無いようにし，強固な鍵付きの外殻部を有することで，仮に略奪したとしてもすぐに使用できず，当該空圧工具用盗難抑止錠が接続されたままでは売却も困難であることを略奪者に知らしめるようにした。
【０１３】また，可搬型の蓄電池駆動油圧切断工具の多くは外径１／２インチ程度まで切断が可能なので，外径１インチ以上の本体外殻部を有するようにした。
【０１４】二つ目の課題に対しては，空圧工具用雄プラグに接続される市販品のカプラと市販品の鍵を内部に利用することで，新規開発，生産する部品点数を大幅に減らし，開発初期投資を抑えることで需要者へ安価な価格で提供できるようにした。
【０１５】三つ目の課題に対しては，一般釘打機用カプラが高圧釘打機用雄プラグに接続できないという通説があるが，それは釘打機として圧縮空気を使用する場合に限られる。
【０１６】一般釘打機と高圧釘打機はそれぞれ異なる圧力帯の圧縮空気を利用するため，高圧釘打機製造者は安全対策として高圧釘打機が一般釘打機用カプラに接続された場合にカプラ接続部において空気が漏れるように雄プラグを設計していると思われる。
【０１７】しかし本発明は圧縮空気を使用しないため，確実に接続することができればこの問題は回避できる。
【０１８】高価な高圧釘打機用カプラを使用せず一般釘打機用カプラを内部に使用することで，高圧釘打機と一般釘打機を有する同一需要者が迷うことなく使用することができる空圧工具用盗難抑止錠を提供できる。
【発明を実施するための最良の形態】
【０１９】外筒１はその後端面にて，上端に回動するロックプレート９を持ち，かつ回動入力部材１６と嵌合することができる施錠用鍵ユニット１１と嵌合されており，内部には固定されたガイド７を持つ。【０２０】ガイド７はその中心突起部にてカプラ３後端と嵌合され，かつその外周にスプリング１０を備える。【０２１】下端をガイド７に接するスプリング１０の上端は，少なくとも１本のボルト６と嵌合されているプッシャ５の下面を常に押し上げている。【０２２】ボルト６は施錠用鍵ユニット１１側からガイド７の開孔部を通りプッシャ５に固定されており，その頭部は回動入力部材１６によって施錠していない状態ではロックプレート脇に位置する。【０２３】ガイド７と嵌合されたカプラ３は内筒２の内壁部にカプラ外筒４を圧入固定されているため一体となっている。【０２４】外筒１と内筒２は固定されておらず，ガイド７の開孔部を通る少なくとも１本のボルト６と，少なくとも１本のロックピン８があるため回転方向には動かず上下方向にのみ移動できる形態で接合される。【０２５】空圧工具本体１２の下端に位置する雄プラグ接続部１３にねじ込み固定された雄プラグ１４を内筒２上端の開口部に挿入すると，カプラ３は雄プラグ１４と嵌合され同時にスプリング１０がカプラ台座５を押し上げる力によりカプラ外筒４を上方向へ移動させる。【０２６】それにより雄プラグ１４の六角山部は内筒２上端により覆い隠されながら，結果的に空圧工具本体１２と一体になる。【０２７】そのとき内筒２とそれに固定されている他の部材も上方向へ移動するため，ボルト６の頭部はロックプレート９よりも上方向へ移動する。【０２８】その後施錠用鍵ユニット１１へ回動入力部材１６を挿入し回動することで，ロックプレート９は約９０度回動し，その両端はボルト６頭部の下に移動する。【０２９】その後回動入力部材１６を施錠用鍵ユニット１１から抜き取ることで施錠される。【０３０】内筒２全体を下方向へ押し下げようとしても，ボルト６の頭部がロックプレート９によりその動きを制限されるため内筒２とそれに固定されている他の部材も下方向へ動くことを制限される。【０３１】故意に空圧工具本体から当該空圧工具用盗難抑止錠を外そうとしても，回動入力部材１６により施錠用鍵ユニット１１を開錠しない限り外すことはできない。【０３２】また，雄プラグ１４を空圧工具本体１２下部の雄プラグ接続部からスパナ等の工具を用いて外そうとしても，雄プラグ１４の六角山部が内筒２によって覆い隠されているため不可能となる。
【発明の効果】
【０３３】当該空圧工具用盗難抑止錠は強固な外筒と内筒を有しており，建築現場の構造物や他の物品と結合して使用されることがない。
【０３４】そのため略奪者がその目的達成のために建築現場において構造物や他の物品を傷付ける理由がなくなる。
【０３５】また，当該空圧工具用盗難抑止錠の場合，使用者が施錠後の空圧工具を持ち運ぶことが容易である。
【０３６】このことは略奪者にとっても有効だが，略奪者は通常盗難後に自分で使用または第三者へ売却することを目的していると思われるため，持ち去ることが容易でも，その後に使用または売却するため開錠または破壊しなければならない。
【０３７】これに要する時間と労力を考慮すれば，この空圧工具用盗難抑止錠で施錠された空圧工具は，多くの場合略奪の対象とはならないと想定できる。
【符号の簡単な説明】
１．外筒                  ２．内筒                  ３．カプラ
４．カプラ外筒            ５．プッシャ              ６．ボルト
７．ガイド                ８．ロックピン            ９．ロックプレート
１０．スプリング          １１．施錠用鍵ユニット    １２．空圧工具本体
１３．雄プラグ接続部      １４．雄プラグ            １５．参考斜視図
１６．回動入力部材
2008272917.tif 000002
【手続補正書】
【提出日】平成19年8月10日(2007.8.10)
【手続補正１】
【補正対象書類名】明細書
【補正対象項目名】全文
【補正方法】変更
【補正の内容】
【発明の詳細な説明】
【発明の詳細な説明】
【技術分野】
【０００１】この発明は，住宅建築の内外装工事で数多く使用される空圧工具，特に釘打機の盗難事故対策方案として利用することができる。
【背景技術】
【０００２】従来住宅建築の内外装工事で使用される代表的な空圧工具である釘打機は，その利便性の高さから普及率は非常に高くなってきた。【０００３】また，個人が利用する釘打機の種類は内装用から躯体用まで複数台に渡るため，場合によっては作業後に釘打機を建築現場へ置いたまま帰宅することがある。【０００４】一方で，釘打機が利用される現場は集合住宅や戸建住宅分譲地などが多いため，複数の釘打機利用者が混在し，かつ昼休みや夜間は作業者も管理者も非常に少なくなるため防犯上の問題がある。【０００５】その場合，釘打機のボディ部とノーズ部と打ち込み金具を入れるマガジン部とで形成された空洞部へチェーンやワイヤ錠を通し建築現場内の構造部や鋼製部位へ結合して施錠する場合や，略奪者が機械を持ち上げたときの傾斜変化を読み取り警報を鳴らすタイプのアラーム錠を設置することが代表的な従来の方法である。【０００６】しかしチェーンやワイヤ錠は可搬型の蓄電池駆動油圧切断工具を用いれば容易に切断が可能であるし，略奪者の手段にとってワイヤが太すぎる場合は建築現場内の構造物そのものを破壊するなどの損害が発生することがある。【０００７】さらにボディ部とノーズ部と打ち込み金具を入れるマガジン部とで形成された空洞へチェーンやワイヤ錠を通しても，略奪者が釘打機の構造を理解していれば一般的な手工具を利用することで容易に分解と再組み立てができるため鍵としての役目をなさない。【０００８】アラーム錠は仮にアラームを発しても周囲に人がいない場合その効果を発揮できないことと，外殻部が容易に破壊されやすいという問題があった。
【発明が解決しようとする課題】
【０００９】課題は三つある。
【００１０】一つ目の課題は，略奪した後すぐに使用できず，また売却も困難であることを略奪者に知らしめることで，結果的に略奪を抑止し，建築現場の構造物や他の物品への損害も発生させないこと。
【００１１】二つ目の課題は，安価な価格で提供すること。
【００１２】三つ目の課題は，特に日本国内において普及が高まっている高圧釘打機に対しても一般釘打機と兼用できる形状で提供することである。
【課題を解決するための手段】
【００１３】一つ目の課題に対しては，当該盗難抑止錠は空圧工具のみに接続させることとし他のものと連結させないようにすることで，略奪者が略奪を達成させるために空圧工具本体または建築現場の構造物や他の物品を傷付けることの無いようにし，強固な鍵付きの外殻部を有することで，仮に略奪したとしてもすぐに使用できず，当該空圧工具用盗難抑止錠が接続されたままでは売却も困難であることを略奪者に知らしめるようにした。
【００１４】また，可搬型の蓄電池駆動油圧切断工具の多くは外径１／２インチ程度まで切断が可能なので，外径１インチ以上の本体外殻部を有するようにした。
【００１５】二つ目の課題に対しては，空圧工具用雄プラグに接続される市販品のカプラと市販品の鍵を内部に利用することで，新規開発，生産する部品点数を大幅に減らし，開発初期投資を抑えることで需要者へ安価な価格で提供できるようにした。
【００１６】三つ目の課題に対しては，一般釘打機用カプラが高圧釘打機用雄プラグに接続できないという通説があるが，それは釘打機として圧縮空気を使用する場合に限られる。
【００１７】一般釘打機と高圧釘打機はそれぞれ異なる圧力帯の圧縮空気を利用するため，高圧釘打機製造者は安全対策として高圧釘打機が一般釘打機用カプラに接続された場合にカプラ接続部において空気が漏れるように雄プラグを設計していると思われる。
【００１８】しかし本発明は圧縮空気を使用しないため，確実に接続することができればこの問題は回避できる。
【００１９】高価な高圧釘打機用カプラを使用せず一般釘打機用カプラを内部に使用することで，高圧釘打機と一般釘打機を有する同一需要者が迷うことなく使用することができる空圧工具用盗難抑止錠を提供できる。
【発明を実施するための最良の形態】
【００２０】外筒１はその後端面にて，上端に回動するロックプレート９を持ち，かつ回動入力部材１６と嵌合することができる施錠用鍵ユニット１１と嵌合されており，内部には固定されたガイド７を持つ。【００２１】ガイド７はその中心突起部にてカプラ３後端と嵌合され，かつその外周にスプリング１０を備える。【００２２】下端をガイド７に接するスプリング１０の上端は，少なくとも１本のボルト６と嵌合されているプッシャ５の下面を常に押し上げている。【００２３】ボルト６は施錠用鍵ユニット１１側からガイド７の開孔部を通りプッシャ５に固定されており，その頭部は回動入力部材１６によって施錠していない状態ではロックプレート脇に位置する。【００２４】ガイド７と嵌合されたカプラ３の先端部カプラ外筒４は内筒２の内壁部にて保持されている。【００２５】外筒１と内筒２は固定されておらず，ガイド７の開孔部を通る少なくとも１本のボルト６と，少なくとも１本のロックピン８があるため回転方向には動かず上下方向にのみ移動できる形態で接合される。【００２６】空圧工具本体１２の下端に位置する雄プラグ接続部１３にねじ込み固定された雄プラグ１４を内筒２上端の開口部に挿入すると，カプラ３は雄プラグ１４と嵌合され同時にスプリング１０がカプラ台座５を押し上げる力によりカプラ外筒４を上方向へ移動させる。【００２７】それにより雄プラグ１４の六角山部は内筒２上端により覆い隠されながら，結果的に空圧工具本体１２と一体になる。【００２８】そのとき内筒２とそれに固定されている他の部材も上方向へ移動するため，ボルト６の頭部はロックプレート９よりも上方向へ移動する。【００２９】その後施錠用鍵ユニット１１へ回動入力部材１６を挿入し回動することで，ロックプレート９は約９０度回動し，その両端はボルト６頭部の下に移動する。【００３０】その後回動入力部材１６を施錠用鍵ユニット１１から抜き取ることで施錠される。【００３１】内筒２全体を下方向へ押し下げようとしても，ボルト６の頭部がロックプレート９によりその動きを制限されるため内筒２とそれに固定されている他の部材も下方向へ動くことを制限される。【００３２】故意に空圧工具本体から当該空圧工具用盗難抑止錠を外そうとしても，回動入力部材１６により施錠用鍵ユニット１１を開錠しない限り外すことはできない。【００３３】また，雄プラグ１４を空圧工具本体１２下部の雄プラグ接続部からスパナ等の工具を用いて外そうとしても，雄プラグ１４の六角山部が内筒２によって覆い隠されているため不可能となる。
【発明の効果】
【００３４】当該空圧工具用盗難抑止錠は強固な外筒と内筒を有しており，建築現場の構造物や他の物品と結合して使用されることがない。
【００３５】そのため略奪者がその目的達成のために建築現場において構造物や他の物品を傷付ける理由がなくなる。
【００３６】また，当該空圧工具用盗難抑止錠の場合，使用者が施錠後の空圧工具を持ち運ぶことが容易である。
【００３７】このことは略奪者にとっても有効だが，略奪者は通常盗難後に自分で使用または第三者へ売却することを目的していると思われるため，持ち去ることが容易でも，その後に使用または売却するため開錠または破壊しなければならない。
【００３８】これに要する時間と労力を考慮すれば，この空圧工具用盗難抑止錠で施錠された空圧工具は，多くの場合略奪の対象とはなりにくい。
【図面の簡単な説明】
【００３９】
【図１】これは本発明の側面図である。
2008272917.tif 000003
【符号の説明】
【００４０】    １．外筒                  ２．内筒                  ３．カプラ
４．カプラ外筒            ５．プッシャ              ６．ボルト
７．ガイド                ８．ロックピン            ９．ロックプレート
１０．スプリング          １１．施錠用鍵ユニット    １２．空圧工具本体
１３．雄プラグ接続部      １４．雄プラグ            １５．参考斜視図
１６．回動入力部材
【手続補正２】
【補正対象書類名】図面
【補正対象項目名】全図
【補正方法】変更
【補正の内容】
【図１】
2008272917.tif 000004